(57)【要約】【課題】  偶数突起型クローラ、奇数突起型クローラのどちらも成形できる加硫成形金型とその製造方法を提供する。【解決手段】  複数の分割型は、次に定義される各パーツＡ〜Ｃのうち、パーツＡと二つのパーツＢ、或いは、パーツＡとそれぞれ一つのパーツＢ及びパーツＣから構成される。（Ａ）互いに平行でかつ同一長さ又は異なる長さに形成された一対の直線型部、（Ｂ）直線型部に接続可能な短寸接続部と、直線型部に接続可能でかつ短寸接続部よりも半ピッチ分だけ長い直線部分を有する長寸接続部とを備えている第一ターン型部、（Ｃ）短寸接続部と長寸接続部の配置を逆にすることで第一ターン型部の場合と鏡面対称関係になっている第二ターン型部【選択図】      図４
2006297816.tif 000002
【特許請求の範囲】
【請求項１】
突起用凹部が内周側に形成されたキャビティを内部に有する複数の分割型よりなり、前記突起用凹部が周方向に所定のピッチで並んだ状態で前記分割型の端部同士を接続することにより、前記キャビティが周方向に連続した無端帯状のクローラ成形空間が形成される、未加硫の予備成形品を加硫成形して弾性クローラを得るための弾性クローラの加硫成形金型において、
前記複数の分割型は、次に定義される各パーツ（ａ）〜（ｃ）のうち、パーツ（ａ）と二つのパーツ（ｂ）、或いは、パーツ（ａ）とそれぞれ一つのパーツ（ｂ）及びパーツ（ｃ）から構成されることを特徴とする弾性クローラの加硫成形金型。
（ａ）  互いに平行でかつ同一長さ又は異なる長さに形成された一対の直線型部
（ｂ）  前記一対の直線型部の長手方向一端又は他端に接続可能な短寸接続部と、同一対の直線型部の長手方向他端又は一端に接続可能でかつ前記短寸接続部よりも半ピッチ分又は整数ピッチと半ピッチの和の分だけ長い直線部分を有する長寸接続部とを備えている
第一ターン型部
（ｃ）  前記短寸接続部と前記長寸接続部の配置を逆にすることで前記第一ターン型部の場合と鏡面対称関係になっている第二ターン型部
【請求項２】
前記一対の直線型部は、少なくとも一つの突起用凹部が内周側に形成されたキャビティを内部に有する複数の直線状ピースの端部同士を互いに接続することによって構成されている請求項１に記載の弾性クローラの加硫成形金型。
【請求項３】
前記第一ターン型部は、円弧状部分と、この円弧状部分の一方の端部に接続されることで当該第一ターン型部の長寸接続部を構成する第一異形ピースとからなり、
前記第二ターン型部は、前記円弧状部分と、この円弧状部分の他方の端部に接続されることで当該第二ターン型部の長寸接続部を構成する第二異形ピースとからなる請求項１又は２に記載の弾性クローラの加硫成形金型。
【請求項４】
請求項１〜３のいずれか１項に記載の加硫成形金型のクローラ成形空間に未加硫の予備成型品を充填してこれを加硫成形することによって弾性クローラを得るようにした弾性クローラの製造方法において、
前記弾性クローラの内周側の突起数が偶数である偶数突起型クローラの場合には、前記パーツ（ａ）と二つのパーツ（ｂ）から構成された分割型を使用し、
前記弾性クローラの内周側の突起数が奇数である奇数突起型クローラの場合には、前記パーツ（ａ）とそれぞれ一つの前記パーツ（ｂ）及びパーツ（ｃ）から構成された分割型を使用することを特徴とする弾性クローラの製造方法。
【発明の詳細な説明】
【技術分野】
【０００１】
本発明は、各種のクローラ式走行装置に装着される弾性クローラの製造に使用される加硫成形金型とその製造方法に関する。
【背景技術】
【０００２】
従来、農林作業車両や建設車両などに装着される無端状ベルトとして、例えば弾性クローラが知られている。この弾性クローラは、一般にクローラ成形装置で一体成形加硫されることによって製造される。同クローラ成形装置では、例えば特許文献１に記載されているような複数の型が移動可能に設けられている。そして、この型同士の間に未加硫の成形素材を間挿し、当該成形素材が加圧・加温され、完成品である弾性クローラとなる。上記型は、例えば分割型を連ねることで全体として無端円環状に構成することができるが、この場合、周長の異なる弾性クローラを製造する際に周長に対応した専用型を使用しなければならず、型の費用が増大し製品のコストアップを招来していた。このような問題を解決すべく、例えば図１１に示すように、平行する一対の直線部１０１と、この直線部１０１の両端に周端が当接する一対の円弧部１０２から無端状となるように型１００を構成し、製造する弾性クローラの周長に合わせて直線部１０１の長さを組み替えるようにしたものが考えられる。
【０００３】
【特許文献１】特開平６−２２６７６９号公報
【発明の開示】
【発明が解決しようとする課題】
【０００４】
弾性クローラの周長を変えるためには、一対の両直線部１０１をそれぞれ同じ長さだけ変更することになるのであるが、上述の型１００には内周側の突起用凹部１０３が所定のピッチで設けられているため、２ピッチ刻みでしか弾性クローラの周長を変えることはできす、内周側の突起数が偶数である偶数突起型クローラから同突起数が奇数である奇数突起型クローラあるいはその逆の周長の変更に対応することはできなかった。
本発明は、上記従来技術の問題点に鑑みてなされたものであり、偶数突起型クローラ、奇数突起型クローラのどちらも成形できる加硫成形金型とその製造方法を提供することを目的とする。
【課題を解決するための手段】
【０００５】
上記目的を達成するため、本発明は次の技術的手段を講じた。
すなわち、本発明は、突起用凹部が内周側に形成されたキャビティを内部に有する複数の分割型よりなり、前記突起用凹部が周方向に所定のピッチで並んだ状態で前記分割型の端部同士を接続することにより、前記キャビティが周方向に連続した無端帯状のクローラ成形空間が形成される、未加硫の予備成形品を加硫成形して弾性クローラを得るための弾性クローラの加硫成形金型において、前記複数の分割型は、次に定義される各パーツ（ａ）〜（ｃ）のうち、パーツ（ａ）と二つのパーツ（ｂ）、或いは、パーツ（ａ）とそれぞれ一つのパーツ（ｂ）及びパーツ（ｃ）から構成されることを特徴とする弾性クローラの加硫成形金型である。
（ａ）互いに平行でかつ同一長さ又は異なる長さに形成された一対の直線型部
（ｂ）前記一対の直線型部の長手方向一端又は他端に接続可能な短寸接続部と、同一対の直線型部の長手方向他端又は一端に接続可能でかる前記短寸接続部よりも半ピッチ分又は整数ピッチと半ピッチの和の分だけ長い直線部分を有する長寸接続部とを備えている
第一ターン型部
（ｃ）前記短寸接続部と前記長寸接続部の配置を逆にすることで前記第一ターン型部の場合と鏡面対称関係になっている第二ターン型部
【０００６】
上記本発明によれば、弾性クローラの内周側の突起数が偶数である偶数突起型クローラを成形する場合には、パーツ（ａ）と二つのパーツ（ｂ）から構成される分割型を使用する。この場合、各直線型部の両側にそれぞれパーツ（ｂ）が配置されることになり、当該パーツ（ｂ）は一端側の短寸接続部と他端側の長寸接続部とを備えていることから、当該各直線型部にはそれぞれ一つずつの長寸接続部が接続される。
また、弾性クローラの内周側の突起数が奇数である奇数突起型クローラを成形する場合には、パーツ（ａ）とそれぞれ一つのパーツ（ｂ）及びパーツ（ｃ）から構成される分割型を使用する。この場合、各直線型部の一方側にパーツ（ｂ）が、他方側にもう一つのパーツ（ｃ）が配置されることになり、当該パーツ（ｂ）は一端側の短寸接続部と他端側の長寸接続部とを備え、パーツ（ｃ）は当該パーツ（ｂ）と鏡面対称の関係になっていることから、各直線型部のうち一方の直線型部の両端には短寸接続部が接続され、他方の直線型部の両端には長寸接続部が接続される。
詳細は後述するが、このような各パーツからなる分割型とすることで、偶数突起型クローラを成形する場合には、図６（ａ）に示すように上下の直線部を合わせた長さは偶数ピッチ分となり、左右の円弧部を合わせた長さは奇数ピッチ分となるため、型の全体の長さは奇数ピッチ分となる。一方、奇数突起型クローラを成形する場合には、図６（ｂ）に示すように上下の直線部を合わせた長さは奇数ピッチ分となり、左右の円弧部を合わせた長さも奇数ピッチ分となるため、型の全体の長さは偶数ピッチ分となる。
従って、上記パーツ（ａ）〜（ｃ）を組み替えて使用することにより、偶数突起型クローラ、奇数突起型クローラのどちらの弾性クローラも得ることができる。
【０００７】
上記本発明において、前記一対の直線型部は、少なくとも一つの突起用凹部が内周側に形成されたキャビティを内部に有する複数の直線状ピースの端部同士を互いに接続することによって構成されていることが好ましい。
このように直線型部を複数の直線状ピースで構成すれば、上記第一ターン型部や第二ターン型部の配置に合わせて当該直線型部の長さを当該直線ピースの長さ単位で自在に変更することができ、弾性クローラの様々な周長に対応できる。
【０００８】
さらに、上記本発明において、前記第一ターン型部は、円弧状部分と、この円弧状部分の一方の端部に接続されることで当該第一ターン型部の長寸接続部を構成する第一異形ピースとからなり、前記第二ターン型部は、前記円弧状部分と、この円弧状部分の他方の端部に接続されることで当該第二ターン型部の長寸接続部を構成する第二異形ピースとからなるようにしてもよい。
この場合には、円弧状部分の一方の端部に上記第一異形ピースを配置すれば第一ターン型部が構成され、同じ当該円弧状部分の他方の端部に上記第二異形ピースを配置すれば第二ターン型部が構成される。従って、偶数突起型クローラを成形する分割型から、奇数突起型クローラを成形する分割型（あるいはその逆でもよい）に変える際には、円弧部をずらすと共に、当該第一異形ピース及び第二異形ピースを置き換えるだけでよい。
【０００９】
また、弾性クローラを製造するに際して上記のような型を使用すれば、弾性クローラごとの専用型を必要とせず、偶数突起型クローラ及び奇数突起型クローラをどちらも得ることができるので、製造コストを大幅に抑えることができる。
【発明の効果】
【００１０】
本発明によれば、一対の直線型部と、短寸接続部及びこれよりも半ピッチ分（又は整数ピッチと半ピッチの和の分）長い長寸接続部を有する第一ターン型部、及びこれと鏡面対称の関係となっている第二ターン型部からなるパーツ群を組み替えて、１ピッチ刻みで周長を変えられるような分割型としたので、偶数突起型クローラ及び奇数突起型クローラをどちらも成形することができる。
【発明を実施するための最良の形態】
【００１１】
以下、図面を参照しつつ、本発明にかかる製造方法の第一実施形態を説明する。図１は、当該製造方法によって得られた無端ベルト状の弾性クローラ１の断面を示している。同図に示すように、弾性クローラ１は、コンバインやハーベスタなどのクローラ走行装置に用いられるもので、ゴムからなる弾性材を無端帯状に形成したクローラ本体１１と、クローラ本体１１の幅方向中央部に形成された複数の係合孔１２と、クローラ本体１１の各係合孔１２間に埋設された芯金１３とを有している。
【００１２】
係合孔１２は、クローラ本体１１の表裏を貫通し、かつクローラ本体１１の周方向に一定の間隔をおいて形成されていることで、駆動スプロケットの係合爪（図示せず。）が挿通可能となっている。芯金１３は、クローラ本体１１の幅方向に長く形成されたもので、幅方向中央部に位置する厚肉部１３ａと、厚肉部１３ａから幅方向外側に伸びる両翼部１３ｂと、クローラ走行装置の転動輪（図示せず。）の転動経路を一定範囲に規制すべく厚肉部１３ａの内周側から突設された左右一対の係合突起１３ｃとを有している。
【００１３】
クローラ本体１１の外周面における両翼部１３ｂに対応する部分には、ラグ１４が突出するように形成されている。このラグ１４は、断面ほぼ台形状で、かつ、クローラ本体の幅方向に伸びるほぼ直線上に形成されており、芯金１３と対応する周方向位置で、かつ、同芯金１３と同ピッチで配置されている。また、クローラ本体１１の内部において、両翼部１３ｂの外周側にはスチールコードなどからなる抗張体１５が埋設されており、この抗張体１５はクローラ本体１１の内部で無端状に周回している。上記のように構成された弾性クローラ１は、図示しない駆動スプロケットの係合爪が係合孔１２に係合した状態で同駆動スプロケットを回転させることによって周方向に駆動され、これによってクローラ走行装置が所定方向に走行するようになっている。
【００１４】
上記の弾性クローラ１の製造方法について説明する。図２は予備成形品１Ａの断面を示しており、図３はクローラ成形装置１の垂直断面を示しており、図４及び図５は同クローラ成形装置３の水平断面を示している。上記予備成形品１Ａは、別の製造ラインにおいて簡易的に成形されたもので、複数の環状のベースゴム１１ａと、芯金１３と、抗張体１５とを有している。そして、クローラ成形装置３の無端状に連なる複数の型３１の間で当該予備成形品１Ａを一体成形加硫することにより、完成品である弾性クローラ１が製造される。図３に示すように、型３１は、内型３１ｕとこの内型３１ｕと対向して配置される外型３１ｓとからなり、環状に連なった型３１の片端面がクローラ成形装置３のベッド部３ａに当接して当該型３１が直立するように設けられている。
【００１５】
内型３１ｕ及び外型３１ｓは、クローラ成形装置３のベッド部３ａ上に放射状に設けられたプレス機構（図示せず）に脱着可能に固定されており、かつ拡径・縮径するように移動可能に設けられている。また、これら内型３１ｕ及び外型３１ｓは、加温装置（図示せず）に接続されており、当該型３１によって予備成形品を加圧及び加温できるようになっている。内型３１ｕは、内側にキャビティが形成されて全体として断面「コ」の字状をなしており、クローラ成形装置３のベッド部３ａ上に直立する板状の内型ベース部ｕ１と、内型ベース部ｕ１の上下端から径方向外方へ伸びる内型縁部ｕ２とを有している。内型３１ｕの内面には完成品の内周面の形状である突起用凹部８が形成されており、この突起用凹部８が係合突起１３ｃと合致するようになっている。
【００１６】
外型３１ｓは、内側にキャビティが形成されて全体として断面「コ」の字状をなしており、クローラ成形装置３のベッド上に直立する板状の外型ベース部ｓ１と、外型ベース部ｓ１の上下端から径方向内方へ伸びる外型縁部ｓ２とを有しており、外型ベース部ｓ１の内面には完成品の外周面の形状が象られている。また、図４及び図５に示すように、型３１は上下型３１ｕ、３１ｓで一組とされた複数の分割型で構成されており、上記突起用凹部８が周方向に所定のピッチで並んだ状態で当該分割型の端部同士を接続することにより、キャビティが周方向に連続した無端帯状のクローラ成形空間３５、３６が形成される。
【００１７】
本実施形態の分割型は、次に示すパーツＡ〜Ｄで構成されるものであり、これらパーツＡ〜Ｄを組み合わせることにより偶数突起型クローラ、及び奇数突起型クローラをどちらも成形できるようにされたものである。奇数突起型クローラ（ピッチ数１１）の成形に使用される図４に示す分割型３１、及び偶数突起型クローラ（ピッチ数１０）の成形に使用される図５に示す分割型４１について説明する。
上記分割型３１及び分割型４１は、いずれも次に定義されるパーツＡ〜Ｃ組み合わせて構成されたものである。パーツＡとは、互いに平行でかつ同一長さ又は異なる長さに形成された一対の直線型部である。なお、このパーツＡは、一つの突起用凹部８が形成されたキャビティを内部に有する複数の直線状ピースＡａからなるものである。パーツＢとは、直線型部の長手方向一端又は他端に接続可能な短寸接続部ｓと、同一対の直線型部の長手方向他端又は一端に接続可能でかつ短寸接続部ｓよりも半ピッチ分だけ長い直線部分ｔ１を有する長寸接続部ｐとを備えている第一ターン型部として構成されたものである。パーツＣとは、短寸接続部ｓと長寸接続部ｐの配置を逆にすることでパーツＢ（第一ターン型部）の場合と鏡面対称関係になっている第二ターン型部として構成されたものである。
【００１８】
図４に示す分割型３１は上記パーツＡとパーツＢ及びパーツＣから構成されており、図５に示す分割型４１はパーツＡと二つのパーツＢから構成されている。
なお、上記パーツＢ（第一ターン型部）及びパーツＣ（第二ターン型部）は、いずれも同形状の円弧状部分を有しており、パーツＢは当該円弧状部分の一方の端部に長寸接続部ｐを構成する第一異形ピースＢｉが接続されたものであり、パーツＣは円弧状部分の他方の端部に長寸接続部ｐを構成する第二異形ピースＣｉが接続されたものである。なお、第一、第二異形ピースＢｉ、Ｃｉは直線部分と円弧部分とからなり、円弧状部分は、一つの突起用凹部８が形成されたキャビティを内部に有する二つの円弧状ピースＢａ、Ｃａからなるものである。
【００１９】
なお、図４及び図５に関する以下の説明において、紙面左右を型の左側、右側といい、紙面上下を型の上側、下側という。図４において、型３１の上側のパーツＡは三つの直線状ピースＡａからなり、下側のパーツＡは二つの直線状ピースＡａからなり、右側のパーツＢは二つの円弧状ピースＢａ及びその下側に接続された第一異形ピースＢｉからなり、左側のパーツＣは二つの円弧状ピースＣａ及びその下側に接続された第二異形ピースＣｉからなる。すなわち、図４でわかるとおり、当該第一、第二異形ピースＢｉ、Ｃｉはいずれも型３１の下側（一方側）に配置されて、当該第一、第二異形ピースＢｉ、Ｃｉの一部を構成する長寸接続部ｐが型３１の下側のパーツＡの両端に接続されている。つまり、型３１の下側の直線部分は、二つの長寸接続部ｐと二つの直線状ピースＡａとで合計３ピッチ分の長さを有し、型３１の上側の（他方側）の直線部分は、三つの直線状ピースＡａのみからなる。このように構成された型３１は、全体で１１ピッチ分の長さを有し、すなわち奇数突起型クローラの成形に用いられる。
【００２０】
図５において、型４１の上側のパーツＡは二つの直線状ピースＡａからなり、下側のパーツＡも二つの直線状ピースＡａからなり、右側のパーツＢは二つの円弧状ピースＢａ及びその下側に接続された第一異形ピースＢｉからなり、左側のパーツＢも二つの円弧状ピースＢａ及びその上側に接続された第一異形ピースＢｉからなる。すなわち、図５でわかるとおり、当該第一異形ピースＢｉは型３１の上側及び下側で互い違いに配置されて、上側の第一異形ピースＢｉの一部を構成する長寸接続部ｐが上側のパーツＡの左端に接続され、下側の第一異形ピースＢｉの一部を構成する長寸接続部ｐが下側のパーツＡの右端に接続されている。つまり、型４１の上側の直線部分は、一つの長寸接続部ｐと二つの直線状ピースＡａとで合計２．５ピッチ分の長さを有し、型４１の下側の直線部分は、二つの直線状ピースＡａと一つの長寸接続部ｐとで合計２．５ピッチ分の長さを有している。このように構成された型４１は、全体で１０ピッチ分の長さを有し、すなわち偶数突起型クローラの成形に用いられる。
【００２１】
このように、弾性クローラの内周側の突起数が奇数である奇数突起型クローラを成形する場合には、図４に示すパーツＡとパーツＢ及びパーツＣから構成される分割型３１を使用し、弾性クローラの内周側の突起数が偶数である偶数突起型クローラを成形する場合には、図５に示すパーツＡと二つのパーツＢから構成される分割型４１を使用すればよい。例えば、奇数偶数突起型クローラを成形した後、偶数突起型クローラを成形する場合には、分割型３１のうち、上側の直線状ピースＡａを一つ抜き取り、円弧状部分（二つの円弧状ピースＣａ）を下側にずらして、この円弧状部分の上側に第一異形ピースＢａを接続するだけで型４１に変更することができる。なお、上側及び下側の直線状ピースＡａの数は適宜変更することができ弾性クローラの様々な周長に対応することができる。
【００２２】
上述のように、パーツＡ〜パーツＣの組み合わせによって、奇数突起型及び偶数突起型クローラを成形できることに関して図６（ａ）、（ｂ）の模式図を参照して説明する。
図６（ａ）は、奇数突起型クローラを成形できる型Ｋ（例えば、図４に示す型３１）を表しており、図６（ｂ）は、偶数突起型クローラを成形できる型Ｇ（例えば、図５に示す型４１）を表している。なお、同図において左右両一点鎖線の内側を直線部といい、その外側を左右の円弧部という。
【００２３】
型Ｋに関して説明する。まず、型Ｋの上記直線部に着目し、型Ｋの上側の直線型部Ａの長さをｋ１とする。そうすると、長寸接続部ｐを左右に含む下側の直線部の長さも当然ｋ１となる。なお、このｋ１は１ピッチを最小単位として構成されている。ｋ１の長さが奇数ピッチ分である場合、上側の直線部と下側の直線部の長さを足すと偶数ピッチになる。ｋ１の長さが偶数ピッチである場合、上側の直線部と下側の直線部の長さを足すと偶数ピッチになる。従って、当然ながら型Ｋの上下の直線部を足した長さ“２×ｋ１”は、必ず偶数ピッチ分となる。
【００２４】
次に、型Ｋの上記左右の円弧部に着目し、当該両円弧部のうち異形ピースＢｉの半ピッチ分が入り込んでいる部分を除いた円弧状部分Ｂａの長さをｋ２とする。そうすると、上記と同様にこのｋ２が奇数ピッチ分であれ、偶数ピッチ分であれ、左右の円弧状部分を足した長さ“２×ｋ２”は、必ず偶数ピッチ分となる。さらに、異形ピースＢｉに関して、型Ｋの左右の円弧部には、それぞれ異形ピースＢｉ、Ｃｉの円弧状の半ピッチ分が入り込んでいる。この半ピッチ分をｋ３（＝０．５ピッチ）とすると、左右の当該半ピッチ分を足し合わせた“ｋ３＋ｋ３”は必ず１ピッチとなる。従って、左右の円弧部の長さは“２×ｋ２”＋“ｋ３＋ｋ３”となる。
【００２５】
型Ｋの全体の長さとなる上述したものを全て足すと、“２×ｋ１”＋“２×ｋ２”＋“ｋ３＋ｋ３”となり、これは偶数ピッチ分＋偶数ピッチ分＋１ピッチ分であるから、すなわち当該型Ｋの長さは奇数ピッチ分となる。つまり図６（ａ）のように、二つの異形ピースＢｉ、Ｃｉを上側又は下側のうち同じ側に配置すれば、型の長さは奇数ピッチとなる。
【００２６】
次に、型Ｇに関して説明する。まず、型Ｇの直線部に着目し、上側の直線部のうち直線型部Ａの長さをｇ１とする。この直線部には、異形ピースＢｉの一部である半ピッチ分が入り込んでいるから当該上側の直線部の長さは“ｇ１＋０．５ピッチ”となり、当然下側の直線部の長さも“ｇ１＋０．５ピッチ”となり、これら上側の直線部と下側の直線部を足すと“２ｇ１＋１ピッチ”となる。この場合、ｇ１が奇数ピッチであれ、偶数ピッチであれ、２ｇ１は偶数ピッチとなるから、両直線部を足した長さ“２ｇ１＋１ピッチ”は、奇数ピッチ分となる。
【００２７】
次に、型Ｇの左右の円弧部に着目し、当該両円弧部のうち異形ピースＢｉの半ピッチ分が入り込んでいる部分を除いた円弧状部Ｂａの長さをｇ２とする。そうすると、上述と同様にこのｇ２が奇数ピッチ分であれ、偶数ピッチ分であれ、左右の円弧状部Ｂａを足した長さ“２×ｇ２”は必ず偶数ピッチ分となる。さらに、異形ピースＢｉに関して、型Ｇの左右の円弧部には、それぞれ当該異形ピースＢｉの円弧状の半ピッチ分が入り込んでいる。この半ピッチ分をｇ３とすると、左右の当該半ピッチ分を足し合わせた“２×ｇ３”は１ピッチとなる。従って、左右の円弧部の長さ“２×ｇ２”＋“２×ｇ３”は、偶数ピッチ分＋１ピッチで奇数ピッチ分となる。
【００２８】
型Ｇの長さとなる上述したものを全て足すと、“２ｇ１＋１ピッチ”＋“２×ｇ２”＋“２×ｇ３”となり、これは奇数ピッチ分＋奇数ピッチ分であるから、すなわち当該型Ｋの長さは偶数ピッチ分となる。つまり図６（ｂ）のように、二つの異形ピースＢｉを上側と下側で互い違いに配置すれば、型の長さは偶数ピッチとなる。
【００２９】
図６（ｃ）、（ｄ）に異形ピースＢｉ、Ｃｉの直線部を１．５ピッチとした場合を示す。図６（ｃ）は、奇数突起型クローラを成形できる型Ｋを表しており、図６（ｄ）は、偶数突起型クローラを成形できる型Ｇを表している。この場合においても、上述のものと全く同様である。図６（ｃ）の上側の直線型部Ａの長さをｋ１とすると、ｋ１が偶数ピッチであれ、奇数ピッチであれ、２ｋ１は偶数ピッチ分となる。左右の円弧部の長さは上述したように偶数ピッチ分＋１ピッチ分となり、すなわち型Ｋの長さは偶数ピッチ分＋偶数ピッチ分＋１ピッチ分を足して奇数ピッチ分となる。
【００３０】
図６（ｄ）の型Ｇについても上述したものと同様であり、左右の円弧部の長さは、偶数ピッチ分＋１ピッチで奇数ピッチ分となる。直線部に関して、上側の直線部のうち直線型部の長さをｇ１とする。直線部には異形ピースＢｉの一部である１．５ピッチ分が入り込んでいるから当該上側の直線部の長さは“ｇ１＋１．５ピッチ”となり、当然下側の直線部の長さも“ｇ１＋１．５ピッチ”となり、これら上側の直線部と下側の直線部を足すと“２×ｇ１＋３ピッチ”となる。この場合、ｇ１が奇数ピッチであれ、偶数ピッチであれ、“２×ｇ１”は偶数ピッチとなるから、両直線部を足した長さ“２×ｇ１＋３ピッチ”は奇数ピッチ分となる。従って、型Ｇの直線部と円弧部を足すと、奇数ピッチ分＋奇数ピッチ分を足して偶数ピッチ分となる。異形ピースの直線部が０．５ピッチ分、及び１．５ピッチ分となった場合について説明したが、当該直線部が半ピッチ分又は整数ピッチと半ピッチの和の分、具体的には当該直線部が０．５ピッチ、１．５ピッチ，２．５ピッチ、３．５ピッチ、・・・というように１ピッチ刻みとなるように異形ピースを構成することができる。
【００３１】
上述のような型構造のクローラ成形装置３において、内型３１ｕが径方向に拡径するように移動し、外型３１ｓが径方向に縮径するように移動することによって、これらが互いに係合し、内外型３１ｕ、３１ｓの間に間挿された予備成形品に圧力を付与できるようになっている。つまり、予備成形品の内周面の係合突起１３ｃが内型３１ｕの凹部８と合わさり、同内型３１ｕが拡径するように移動すると共に、外型３１ｓが縮径するように移動し、予備成形品１Ａに圧力が加えられた状態となる。そして、予備成形品１Ａが加圧された状態において、型３１が加温装置によって加温され、この加温された型３１を介して予備成形品１Ａが一体成形加硫されて完成品となり、その後型３１から脱型される。脱型作業は、内型３１ｕを縮径するように移動させ、外型３１ｓを拡径するように移動させることによって完成品から型３１を離間させる。最後に、完成品を取り出して一連の工程が完了する。
【００３２】
上記本実施形態の加硫成形金型によれば、弾性クローラの内周側の突起数が偶数である偶数突起型クローラを成形する場合には、上述のように直線型部Ａと二つの第一ターン型部Ｂから構成された分割型を使用すればよく、弾性クローラの内周側の突起数が偶数である偶数突起型クローラを成形する場合には、直線型部Ａとそれぞれ一つの第一ターン型部Ｂ及び第二ターン型部Ｃから構成された分割型を使用すればよい。すなわち、上記直線型部Ａ、第一ターン型部Ｂ、第二ターン型部Ｃを組み替えて使用することにより、偶数突起型クローラ、奇数突起型クローラのどちらの弾性クローラも得ることができる。
【００３３】
また、直線型部Ａを複数の直線状ピースで構成しているので、上記第一ターン型部や第二ターン型部の配置に合わせて当該直線型部Ａの長さを直線状ピースで最小単位として自在に変更することができ、弾性クローラの様々な周長に対応できる。また、第一ターン型部Ｂと第二ターン型部Ｃとで円弧状部分が共通ピースとなっているので、円弧状部分の一方の端部に上記第一異形ピースを配置すれば第一ターン型部が構成され、同じ当該円弧状部分の他方の端部に上記第二異形ピースを配置すれば第二ターン型部が構成される。従って、偶数突起型クローラを成形する分割型から、奇数突起型クローラを成形する分割型（あるいはその逆でもよい）に変える際には、円弧部状をずらすと共に、当該第一異形ピース及び第二異形ピースを置き換えるだけでよい。
【００３４】
図７は、第二実施形態の製造方法で用いる予備成形品６Ａを示し、図８は同実施形態のクローラ成形装置５において、予備成形品６Ａをセットする準備段階の垂直方向の部分断面図を示し、図８は予備成形品６Ａを加圧している状態の垂直方向の部分断面図を示し、図１０は図９の状態における水平方向の部分断面図を示している。
本実施形態が上記第一実施形態との主な相違点は、型５１が予備成形品６Ａの幅方向から加圧するように構成されている点である。図７に示すように、予備成形品６Ａは、複数の環状のベースゴム１１ａと、芯金１３と、抗張体１５とを有している。また、この予備成形品６Ａにはラグを形成するベースゴムを含まないため、予備成形品６Ａの外形は完成品の外形より若干小さく成形されている。
【００３５】
図８に示すように、本実施形態のクローラ成形装置５は、型５１として予備成形品６Ａの幅方向一端側を成形する上型５１ｕと、幅方向他端側を成形すべく上型５１ｕと対向して配置された下型５１ｓと、予備成形品６Ａの内周中央部を成形すべくその内周面側に配置された中型５１ｎとを備えている。
上型５１ｕは、クローラ成形装置５に設けられた上下方向に移動可能なヘッド部（図示せず。）に脱着可能に固定されている。また、下型５１ｓは、クローラ成形装置５のベッド５ａ上に載置されるとともに脱着可能に固定されている。このクローラ成形装置５のヘッド部は下降することによって、ベッド５ａとの間で型５１を挟持し、当該型５１を介して予備成形品６Ａに圧力を付与するようになっている。また、上型５１ｕ及び下型５１ｓは、加温装置（図示せず）に接続されており、加圧と同時に当該型５１を介して予備成形品６Ａを加温できるようになっている。
【００３６】
上型５１ｕは、平板の上型ベース部ａ１と、上型ベース部ａ１の周縁から下方に伸びる外周壁ｂ１と、外周壁ｂ１に対して所定の間隔をおいて上型ベース部ａ１の内径側に形成された内周壁ｃ１とを有している。外周壁ｂ１と内周壁ｃ１との間には、環状空間である上型成形部６０が形成されており、その上型成形部６０の内面には、完成品の幅方向一端側の形状が象られている。下型５１ｓは、平板の下型ベース部ａ２と、下型ベース部ａ２の周縁から上方に伸びる外周縁ｂ２と、外周縁ｂ２より内径側に形成された溝状の下型成形部６１と、下型成形部６１の内径側に隣接された溝状の段差部ｄ２とを有している。下型成形部６１の内面には、完成品の他端側の形状が象られている。中型５１ｎは、中型ベース部ａ３と、その外周縁下端から下方に伸びる中型成形部ｂ３とを有している。中型成形部ｂ３の外周面には凹部８が形成されており、この凹部８が完成品の係合突起１３ｃと合致する。
【００３７】
上記のような型５１構造のクローラ成形装置５において、下型５１ｓに中型５１ｎがセットされた状態で、上型５１ｕが下降して互いに係合し、上型５１ｕと下型５１ｓとの間に間挿された予備成形品６Ａに圧力を付与するようになっている。予備成形品６Ａは、その内周面中央部に中型成形部ｂ３が係合されつつ、同予備成形品６Ａの幅方向一端側から下型成形部６１に挿入される。外周壁ｂ１の下端面と下型ベース部ａ２の上面とが接合される第一接合部６３に、未加硫ゴムである環状のスラグ大７０が配置される。同様に、内周壁ｃ１の下端面と中型成形部ｂ３の上端面とが接合される第二接合部６４に、同素材からなる環状のスラグ小７１が配置され、中型成形部ｂ３の下端面と段差部ｄ２の底面とが接合される第三接合部６５に、スラグ小７２が配置される。この状態で、上型５１ｕを下型５１ｓ側へ下降させることによって、予備成形品６Ａの他端側が上型成形部６０に挿入される。
【００３８】
引き続き、上型５１ｕを下型５１ｓと係合するまで下降させる。この過程において、各接合部６３，６４，６５に配置されたスラグ大・小７０、７１、７２が押し潰され、型５１内に注入される。図９に示すように、注入されたスラグ大７０は、主にラグ１４を形成し、スラグ小７２は、主にクローラ本体１１の表層を形成するように型５１内の形状に沿って流動する。このように、型５１同士を係合させる過程において、スラグ大・小７０、７１、７２が型５１内に注入されてほぼ完成品の形状が形成され、予備成形品６Ａに圧力が加えられる。この状態において、型５１が加温装置によって加温されこの型５１を介して予備成形品６Ａが加温される。
【００３９】
上記の過程を経て、スラグ大・小７０、７１、７２を含む予備成形品６Ａが一体成形加硫される。加硫成形された完成品は、型５１から脱型される。脱型作業は、上型５１ｕを下型５１ｓから離間するように上昇させ、完成品を下型５１ｓから取り出し、一連の工程が完了する。このような型で成形加硫することにより、予備成形品６Ａを一体成形加硫する時の加硫圧力をより一層高くすることができ、インジェクション装置などを用いることなく型５１内にスラグを注入することができるので、クローラ成形装置５の構造を簡素にすることができる。また、予備成形品を略完成品の形状にまで成形する必要がなく手間を簡略化することができる。
【００４０】
図１０に示す型５１は、上記第一実施形態の型３１と同様に配置された分割型で構成されたものであり、突起用凹部８を１１個とした奇数突起型の弾性クローラを加硫成形すべく組み合わされたものである。直線型部Ａと第一ターン型部Ｂ（図４右側）及び第二ターン型部Ｃ（図４左側）により型５１が無端環状に構成されており、各パーツを組み替えることにより、図１１に示すように、突起用凹部８を１０個とした偶数突起型の弾性クローラを加硫成形すべく組み合わされた型８１となる。パーツとしての構成は上記第一実施形態と全く同様となっているので、同符号を付してその説明を省略する。
この場合においても、弾性クローラの内周側の突起数が偶数である偶数突起型クローラを成形する場合には直線型部Ａと二つの第一ターン型部Ｂから構成された分割型を使用すればよく、弾性クローラの内周側の突起数が偶数である偶数突起型クローラを成形する場合には、直線型部Ａとそれぞれ一つの第一ターン型部Ｂ及び第二ターン型部Ｃから構成された分割型を使用すればよい。すなわち、上記直線型部Ａ、第一ターン型部Ｂ、第二ターン型部Ｃを組み替えて使用することにより、偶数突起型クローラ、奇数突起型クローラのどちらの弾性クローラも得ることができる。
【００４１】
なお、本発明は上述した実施形態に限定されるものではない。例えば、円弧状部分や直線型部の長さは、製造される弾性クローラの周長に合わせて適宜増減すればよく、さらに、上記実施形態では、直線部と円弧状のターン型部で無端状の型を構成しているが、ターン型部の形状はどのようなものでもよく、例えば直線状に形成して直線型部と当該ターン型部と四隅に配置される円弧部とで全体として四方形状の型を構成してもよい。また、上記クローラ成形装置は、芯金のない弾性クローラ等、弾性クローラの仕様に対応して適宜変更することができる。
【図面の簡単な説明】
【００４２】
【図１】完成品である弾性クローラの断面図である。
【図２】第一実施形態にかかる予備成形品の断面図である。
【図３】型の垂直方向の部分断面図である。
【図４】型の水平方向の部分断面図である。
【図５】組み替えられた型の水平方向の部分断面図である。
【図６】各パーツの組み替え説明模式図である。
【図７】第二実施形態にかかる予備成形品の断面図である。
【図８】予備成形品をセットする準備段階を示す垂直方向の部分断面図である。
【図９】予備成形品を加圧している状態を示す垂直方向の部分断面図である。
【図１０】型の水平方向の部分断面図である。
【図１１】組み替えられた型の水平方向の部分断面図である。
【図１２】従来の型の水平方向の部分断面図である。
【符号の説明】
【００４３】
１      弾性クローラ
１Ａ    予備成形品
３      クローラ成形装置
１１      クローラ本体
１２      係合孔
１４      ラグ
３１、４１，５１、８１      型
Ａ        パーツ（直線型部）
Ｂ        パーツ（第一ターン型部）
Ｃ        パーツ（第二ターン型部）
【図１】
2006297816.tif 000003
【図２】
2006297816.tif 000004
【図３】
2006297816.tif 000005
【図４】
2006297816.tif 000006
【図５】
2006297816.tif 000007
【図６】
2006297816.tif 000008
【図７】
2006297816.tif 000009
【図８】
2006297816.tif 000010
【図９】
2006297816.tif 000011
【図１０】
2006297816.tif 000012
【図１１】
2006297816.tif 000013
【図１２】
2006297816.tif 000014